(57)【要約】【課題】簡単な構成により確実にアーク放電の継続を抑止することができる光源点灯装置を提供することを目的とする。【解決手段】ＬＥＤ４１を備える光源回路４０へ直流電流を供給し、ＬＥＤ４１を点灯する点灯回路３０と、光源回路４０及び点灯回路３０の少なくともいずれかに発生したアーク放電を消滅させるために点灯回路３０から光源回路４０への直流電流の供給を停止する供給停止動作を行う点灯回路制御部６とを備え、点灯回路制御部６は、光源回路４０及び点灯回路３０の少なくともいずれかにおけるアーク放電の発生の有無にかかわらず、供給停止動作を繰り返し行う。【選択図】図１
2014035943.tif 000002
【特許請求の範囲】
【請求項１】
光源を備える光源回路へ直流電流を供給し、前記光源を点灯する点灯回路と、
前記光源回路及び前記点灯回路の少なくともいずれかに発生したアーク放電を消滅させるために前記点灯回路から前記光源回路への直流電流の供給を停止する供給停止動作を行う放電消滅回路であって、前記アーク放電の発生の有無にかかわらず、前記供給停止動作を繰り返し行う放電消滅回路と
を備えることを特徴とする光源点灯装置。
【請求項２】
前記放電消滅回路は、
前記供給停止動作を開始したのち、前記光源が発する光の残光が消えるよりも前に、前記供給停止動作を終了することを特徴とする請求項１に記載の光源点灯装置。
【請求項３】
前記放電消滅回路は、
前記点灯回路の動作を停止する動作、または、前記点灯回路の出力電圧を低下させる動作を、前記供給停止動作として行うことを特徴とする請求項１または請求項２に記載の光源点灯装置。
【請求項４】
前記点灯回路は、
スイッチング素子を有し、前記スイッチング素子を繰り返しオンオフすることにより前記直流電流を生成するスイッチング電源回路であり、
前記放電消滅回路は、
前記スイッチング素子のスイッチングを制御することにより、前記点灯回路の動作を停止する動作、または、前記点灯回路の出力電圧を低下させる動作を行うことを特徴とする請求項３に記載の光源点灯装置。
【請求項５】
前記点灯回路は、バックコンバータ回路またはフライバックコンバータ回路であることを特徴とする請求項４に記載の光源点灯装置。
【請求項６】
前記光源点灯装置は、
前記点灯回路に電力を供給する電源と前記点灯回路との間に直列に電気接続したスイッチング素子を有し、
前記放電消滅回路は、
前記スイッチング素子をオフにすることにより、前記供給停止動作を行うことを特徴とする請求項１または請求項２に記載の光源点灯装置。
【請求項７】
前記光源点灯装置は、
前記点灯回路と前記光源回路との間に直列に電気接続したスイッチング素子を有し、
前記放電消滅回路は、
前記スイッチング素子をオフにすることにより、前記供給停止動作を行うことを特徴とする請求項１または請求項２に記載の光源点灯装置。
【請求項８】
前記光源点灯装置は、
前記点灯回路に対して前記光源回路と並列に電気接続したスイッチング素子を有し、
前記放電消滅回路は、
前記スイッチング素子をオンにすることにより、前記供給停止動作を行うことを特徴とする請求項１または請求項２に記載の光源点灯装置。
【請求項９】
前記光源点灯装置は、
前記光源回路を流れる電流及び前記点灯回路の出力電圧の少なくともいずれかが、所定の正常範囲から逸脱した場合に、異常が発生したと判定する異常判定部を有し、
前記点灯回路は、
異常が発生したと前記異常判定部が判定した場合に、動作を停止し、
前記異常判定部は、
前記放電消滅回路が前記供給停止動作を行っている間は、前記光源回路を流れる電流及び前記点灯回路の出力電圧の少なくともいずれかが、前記所定の正常範囲から逸脱した場合であっても異常が発生していないと判定することを特徴とする請求項７または請求項８に記載の光源点灯装置。
【請求項１０】
前記異常判定部は、
前記放電消滅回路が前記供給停止動作を終了したのち、所定の時間が経過するまでの間は、前記光源回路を流れる電流及び前記点灯回路の出力電圧の少なくともいずれかが、前記所定の正常範囲から逸脱した場合であっても異常が発生していないと判定することを特徴とする請求項９に記載の光源点灯装置。
【請求項１１】
前記点灯回路は、
前記放電消滅回路が前記供給停止動作を行っている間、動作を停止するか、または、出力電圧を低下させることを特徴とする請求項７または請求項８に記載の光源点灯装置。
【請求項１２】
請求項１〜１１のいずれかに記載の光源点灯装置と、
前記光源点灯装置が備える点灯回路から供給される直流電流により点灯する光源を備える光源回路を接続する光源接続部と
を備えることを特徴とする照明器具。
【発明の詳細な説明】
【技術分野】
【０００１】
本発明は、例えば、ＬＥＤなどの光源を点灯する光源点灯装置及び当該光源点灯装置を用いた照明器具に関する。
【背景技術】
【０００２】
ＬＥＤランプを点灯する照明器具において、点灯中のランプ電圧は直流で数十ボルト以上に達する場合がある。このような照明器具では、ＬＥＤランプに供給する直流電流を定電流に制御する点灯回路とＬＥＤランプとの間に介在するソケットからＬＥＤランプが外れると、ソケットの電極とＬＥＤランプの端子との間でアーク放電が発生する場合がある。このアーク放電は、ソケットの電極、ＬＥＤランプ、あるいは点灯回路等にストレスやダメージを与える可能性がある。
【０００３】
このようなアーク放電を抑止するための従来技術として、出力電圧が可変である電力変換部と、電力変換部からソケットを介してＬＥＤランプに供給される出力電流を検出する電流検出部と、ＬＥＤランプに印加される出力電圧を検出する電圧検出部と、電流検出部で検出される出力電流を目標値に一致させるように電力変換部を制御して出力電圧を増減する制御部とを備えたＬＥＤ点灯装置がある。このＬＥＤ点灯装置は、出力電流が所定の下限値以上である場合は出力電圧が所定の最大負荷電圧を超えないように制御し、ＬＥＤランプとソケットとの間のアーク放電を消滅し易くすることにより、アーク放電の継続時間を短縮するものである（特許文献１参照）。
【先行技術文献】
【特許文献】
【０００４】
【特許文献１】特開２０１２−９３９１号公報
【発明の概要】
【発明が解決しようとする課題】
【０００５】
通常、ソケットからＬＥＤランプが外れた場合、電流検出部の検出電流から得られる電流値が下限値未満となるので、制御部の定電流制御が中止される。しかし、ＬＥＤランプとソケットとの間でアーク放電が生じた場合、電流値が下限値未満まで減少せず、制御部の定電流制御が継続されてしまうことがある。
【０００６】
特許文献１に開示されたＬＥＤ点灯装置は、電力変換部の出力電圧が最大負荷電圧を超えないように制限することによりアーク放電を消滅し易くし、外れたＬＥＤランプとソケットとの距離が大きくなってアークが引き延ばされて消滅するまでのアーク放電の継続時間の短縮を図っている。
【０００７】
しかしながら、特許文献１のＬＥＤ点灯装置では、出力電流を検出した後に、出力電圧を制御する動作を行っているので、アーク放電の継続を抑止するための構成や制御が複雑になるという課題がある。
【０００８】
また、特許文献１のＬＥＤ点灯装置では、ＬＥＤランプとソケットとの間に発生したアーク放電の場合は、上述したように、アークが引き延ばされて消滅するまでの時間を短縮することができるが、微細な亀裂等に発生したアーク放電の場合は、アーク放電が継続してしまう可能性があり、確実にアーク放電を消滅させることができないという課題がある。
【０００９】
本発明は、例えば、簡単な構成により確実にアーク放電の継続を抑止することを目的とする。
【課題を解決するための手段】
【００１０】
本発明に係る光源点灯装置は、光源を備える光源回路へ直流電流を供給し、前記光源を点灯する点灯回路と、前記光源回路及び前記点灯回路の少なくともいずれかに発生したアーク放電を消滅させるために前記点灯回路から前記光源回路への直流電流の供給を停止する供給停止動作を行う放電消滅回路であって、前記アーク放電の発生の有無にかかわらず、前記供給停止動作を繰り返し行う放電消滅回路とを備えることを特徴とする。
【発明の効果】
【００１１】
本発明に係る光源点灯装置によれば、簡単な構成により光源回路への直流電流の供給を停止することができ、確実にアーク放電の継続を抑止することができる。
【図面の簡単な説明】
【００１２】
【図１】実施の形態１に係る照明器具の回路構成の一例を示す図である。
【図２】実施の形態１に係る点灯回路制御部の供給停止動作の説明のための図である。
【図３】実施の形態１に係る点灯回路スイッチング素子のスイッチング動作を示す図である。
【図４】実施の形態１に係る照明器具の回路構成の他の例を示す図である。
【図５】実施の形態２に係る照明器具の回路構成を示す図である。
【図６】実施の形態３に係る照明器具の回路構成を示す図である。
【図７】実施の形態４に係る照明器具の回路構成を示す図である。
【図８】実施の形態４に係る供給停止制御部の供給停止動作の説明のための図である。
【図９】実施の形態５に係る照明器具の回路構成を示す図である。
【図１０】実施の形態６に係る照明器具の回路構成を示す図である。
【図１１】実施の形態６に係る保護回路の動作の説明のための図である。
【発明を実施するための形態】
【００１３】
実施の形態１．
図１は、本実施の形態に係る照明器具の回路構成の一例を示す図である。本実施の形態に係る照明器具１００の回路構成について、図１を用いて説明する。
【００１４】
照明器具１００は、光源回路４０のＬＥＤ４１を点灯させる器具である。図１において、照明器具１００は、光源点灯装置５０と、光源回路４０を接続する光源接続部６０とを備える。光源点灯装置５０は、外部電源１０から交流電圧を入力し、所定の直流電流を生成して、光源回路４０へ出力する。
【００１５】
外部電源１０（電源の一例）は、照明器具１００に対して交流電圧を供給する交流電源である。外部電源１０は、例えば、商用交流電源である。ただし、外部電源１０は、交流電源でなくてもよく、例えば、太陽光発電システムなどにより直流電圧を供給する直流電源であってもよい。
【００１６】
光源点灯装置５０は、直流生成部２０と点灯回路３０とを備える。
【００１７】
直流生成部２０は、直流電圧を生成し、点灯回路３０に出力する。直流生成部２０は、図示は省略するが、ダイオードブリッジで構成された整流回路を備える。直流生成部２０は、外部電源１０から供給された交流電圧を整流回路により全波整流し、直流電圧を生成する。
【００１８】
また、直流生成部２０は、力率改善機能を有する直流電圧変換回路を備えていてもよい。この場合、直流生成部２０は、力率改善機能を有する直流電圧変換回路により、整流回路から出力された直流電圧を所定電圧に変換して出力する。
【００１９】
点灯回路３０は、光源回路４０に対して所定の直流電流を供給する定電流電源としての機能を有する。点灯回路３０の定電流制御動作については後述する。
【００２０】
点灯回路３０は、点灯回路スイッチング素子５、点灯回路制御部６、コイル７、ダイオード８、コンデンサ９を備えるスイッチング電源回路である。
点灯回路３０は、点灯回路スイッチング素子５、点灯回路制御部６、コイル７、ダイオード８、コンデンサ９により、バックコンバータを構成する。
【００２１】
点灯回路スイッチング素子５は、直流生成部２０が有する２つの出力端子のうちの高電圧側に配置される。点灯回路スイッチング素子５は、例えば、ＭＯＳＦＥＴ、あるいは、トランジスタ等の半導体スイッチング素子である。
点灯回路制御部６は、点灯回路スイッチング素子５のスイッチング（オンオフ）を制御する。
【００２２】
コイル７は、電磁誘導素子であり、点灯回路スイッチング素子５がオンのときに電磁誘導によりエネルギーを蓄積する。
ダイオード８は、点灯回路スイッチング素子５がオフのときにオンになり、コイル７から放出されるエネルギーにより流れる回生電流の経路を形成する。
コンデンサ９は、コイル７を流れる電流により充電される。バックコンバータである点灯回路３０は、このコンデンサ９からの放電により、光源回路４０に供給する光源点灯用の直流電流を出力して光源回路４０が備えるＬＥＤ４１を点灯させる。
【００２３】
直流生成部２０、点灯回路３０は、例えば、プリント基板に形成されている。
【００２４】
光源回路４０は、直流電流を入力して、入力した直流電流により光源が発光する。光源は、例えば、ＬＥＤ４１である。光源回路４０は、複数個のＬＥＤ４１を備える。図１では、３個のＬＥＤ４１が直列に接続されている。
【００２５】
光源回路４０は、例えば、ＬＥＤランプ等のＬＥＤモジュールである。照明器具１００は、ＬＥＤモジュールを接続するための光源接続部６０を備える。光源接続部６０は、例えば、ＬＥＤランプを装着するソケット、あるいは、ＬＥＤモジュールを接続するためのコネクタ等である。光源回路４０は、光源接続部６０を介して光源点灯装置５０に接続される。
【００２６】
次に、上記のように構成された照明器具１００において、定電流にてＬＥＤ４１を点灯させるための点灯回路３０の定電流制御動作について説明する。
【００２７】
点灯回路３０は、直流生成部２０から直流電圧を入力し、点灯回路制御部６によって点灯回路スイッチング素子５を高周波でスイッチングすることにより、コンデンサ９を充電し、所定の直流電流を出力する。点灯回路３０は、このコンデンサ９からの放電により出力される直流電流を光源回路４０に供給することにより、ＬＥＤ４１を点灯させる。
【００２８】
次に、点灯回路３０の点灯回路制御部６によるアーク放電を消滅させるための制御動作について説明する。点灯回路制御部６は、定電流制御動作のほかに、アーク放電を消滅させるための制御動作を行う。
【００２９】
点灯回路制御部６は、光源回路４０及び点灯回路３０の少なくともいずれかに発生したアーク放電を消滅させるために、点灯回路３０から光源回路４０への直流電流の供給を停止する供給停止動作（以下、供給停止制御ともいう）を行う。点灯回路制御部６は、この供給停止動作をアーク放電の発生の有無にかかわらず、周期的に、あるいは、ランダムに繰り返し行う。
【００３０】
まず、照明器具１００において発生する可能性のあるアーク放電について説明する。
【００３１】
照明器具１００において、直流電流を流すことによるアーク放電は、ＬＥＤランプ（光源回路４０）がソケット（光源接続部６０）から外れたときに、ＬＥＤランプとソケットとの間に発生する場合がある。このようなアーク放電は、光源回路４０に発生するアーク放電の一例である。
【００３２】
また、光源回路４０に発生するアーク放電以外にも、例えば、点灯回路３０のプリント基板のパターン配線の微細な亀裂等による断線箇所に発生するアーク放電、あるいは、プリント基板の出力部からソケットへの配線の一部が断線等を起こすなどによるアーク放電等がある。これらのアーク放電は、点灯回路３０に発生するアーク放電の一例である。
【００３３】
図１において図示は省略しているが、照明器具１００は、通常、ＬＥＤランプが外れるなどして無負荷状態となった場合には、点灯回路３０の高い出力電圧を検出する等して点灯回路３０を停止させる保護機能を有する。照明器具１００において、絶縁距離が十分に大きな断線が発生した場合には、その断線箇所にはアーク放電は発生しないので、ＬＥＤ４１には電流が供給されず、無負荷状態になる。この場合には、照明器具１００が有する上記保護機能により、点灯回路３０が停止するなどして照明器具１００が保護される。
【００３４】
しかし、絶縁距離が微少な断線が発生した場合は、その断線箇所にアーク放電が発生し、ＬＥＤ４１に電流が供給される。このため、照明器具１００は、無負荷状態とならず、点灯回路３０は電流の供給を継続してしまい、アーク放電が継続してしまう。
【００３５】
そこで、点灯回路制御部６は、光源回路４０あるいは点灯回路３０に発生するアーク放電を消滅させるために、通常の定電流制御動作のほかに、極めて短い時間だけ光源回路４０に対して直流電流の供給を停止する供給停止動作を行う。点灯回路制御部６は、この供給停止動作を、光源点灯装置５０におけるアーク放電の発生の有無にかかわらず繰り返し行う。点灯回路制御部６は、アーク放電の発生の有無にかかわらず、点灯回路３０から光源回路４０への直流電流の供給を繰り返し停止して、アーク放電を消滅させる放電消滅回路の一例である。
【００３６】
点灯回路制御部６は、点灯回路３０の動作を停止する制御、または、点灯回路３０の出力を低下させる制御を行うことにより、光源回路４０への直流電流の供給を極めて短い時間だけ停止する。
【００３７】
点灯回路制御部６が光源回路４０への直流電流の供給を停止する極めて短い時間（以下、電流停止時間ともいう）とは、アーク放電を消滅させるために要する時間よりも長い時間である。点灯回路制御部６が電流停止時間の間だけ光源回路４０への直流電流の供給を停止することにより、光源回路４０にアーク放電が発生していた場合、点灯回路３０の出力部にアーク放電が発生していた場合等には、そのアーク放電を消滅させることができる。点灯回路制御部６が供給停止動作を繰り返すことによるアーク放電の消滅効果及びアーク放電の発生の抑止効果については後述する。
【００３８】
図２は、本実施の形態に係る点灯回路制御部６の供給停止動作の説明のための図である。図３は、本実施の形態に係る点灯回路スイッチング素子５のスイッチング動作を示す図である。図２及び図３を用いて、点灯回路制御部６による供給停止動作について詳しく説明する。
【００３９】
上述したように、図１に示す照明器具１００では、直流生成部２０から出力された直流電圧が点灯回路３０（バックコンバータ）に印加され、点灯回路制御部６の定電流制御により点灯回路３０から所定の直流電流が光源回路４０に供給され、ＬＥＤ４１が点灯する。さらに、点灯回路制御部６は、ＬＥＤ４１の点灯中には、定電流制御とは別に、電流停止時間だけＬＥＤ４１への直流電流の供給を停止する供給停止動作を定期的に、または、ランダムに繰り返し行う。
【００４０】
図２（ａ）は、点灯回路制御部６が、光源回路４０への直流電流の供給を停止するための供給停止動作を行っている期間Ｔ１（以下、供給停止制御期間Ｔ１という）を示している。図２（ａ）では、点灯回路制御部６は、供給停止動作を周期Ｔｒで繰り返すことを示している。ただし、点灯回路制御部６は、供給停止動作をランダムに繰り返してもよい。
【００４１】
図２（ｂ）は、供給停止制御期間Ｔ１におけるコンデンサ９の電圧の変化を示している。図２（ｃ）は、供給停止制御期間Ｔ１に対応するＬＥＤ４１に供給される直流電流の変化を示している。図２（ｄ）は、供給停止制御期間Ｔ１に対応するＬＥＤ４１の光出力の変化を示している。
【００４２】
図２（ａ）に示すように、点灯回路制御部６が供給停止制御期間Ｔ１に入ると、図２（ｂ）に示すように、コンデンサ９の電圧が徐々に低下する。コンデンサ９の電圧がＬＥＤ４１がオンしない電圧（すなわち、ＬＥＤ４１に電流を流すための電圧の下限値（以下、供給停止制御時電圧とする））まで下がると、図２（ｃ）に示すように、ＬＥＤ４１への直流電流の供給が停止する。ＬＥＤ４１への直流電流の供給が停止する時間を電流停止時間Ｔ２とする。
【００４３】
ＬＥＤ４１への直流電流の供給が停止すると、図２（ｄ）に示すように、ＬＥＤ４１の光出力が徐々に低下する。電流停止時間Ｔ２が経過し、ＬＥＤ４１への直流電流の供給が開始されると、ＬＥＤ４１の光出力は徐々に上昇し、元の光出力まで戻る。
【００４４】
図２（ｄ）に示すように、電流停止時間Ｔ２は、ＬＥＤ４１の光出力が低下し始めてからＬＥＤ４１の光出力が零になるまでの時間より短く設定されているので、ＬＥＤ４１の光出力が零になることはない。
【００４５】
次に、図３を用いて、点灯回路制御部６による供給停止動作の具体例について説明する。
【００４６】
図３（ａ）は、通常の定電流制御において、点灯回路３０（バックコンバータ）の点灯回路スイッチング素子５を後述する臨界モードで動作させた場合のコイル７の電流波形を示しており、横軸は時間である。図３（ｂ）は、供給停止動作において点灯回路スイッチング素子５を後述する不連続モードで動作させた場合のコイル７の電流波形を示している。
【００４７】
通常の定電流制御においては、点灯回路制御部６は、例えば、臨界モードで点灯回路スイッチング素子５を制御している。臨界モードとは、例えば、図３（ａ）に示すように、コイル７の電流が零になるとすぐに点灯回路スイッチング素子５をオンにして電流を流し始め、効率よく所定の出力電流を発生するような制御である。図示は省略するが、通常、点灯回路３０は出力電流を検出する出力電流検出回路、及び、コイル７に流れる電流を検出するコイル電流検出回路を備えている。点灯回路制御部６は、出力電流検出回路が検出した出力電流の値、及び、コイル電流検出回路が検出したコイル７に流れる電流の値等を用いて臨界モードによる定電流制御を行う。
【００４８】
ここで、図３（ｂ）に示すように、点灯回路制御部６が供給停止動作を開始すると（すなわち、供給停止制御期間Ｔ１に入ると）、点灯回路制御部６により、点灯回路スイッチング素子５は、電流のピーク値Ａｐを臨界モード時の電流のピーク値よりも低くし、かつ、コイル７の電流が流れ終わっても一定のオフ期間Ｔ４の間は次のオン期間に入らない不連続モードで動作するように制御される。
【００４９】
これにより、図２（ｂ）及び図２（ｃ）に示すように、コンデンサ９の電圧が低下するとともに、ＬＥＤ４１へ流れる直流電流も低下し、コンデンサ９の電圧が供給停止時制御電圧以下になると、ＬＥＤ４１へ流れる直流電流が停止する電流停止時間Ｔ２が生じる。
【００５０】
このように、点灯回路制御部６は、点灯回路３０の出力電圧を低下させることにより、点灯回路３０から光源回路４０への直流電流の供給を停止させる。
【００５１】
点灯回路制御部６は、通常の定電流制御においては、点灯回路スイッチング素子５のスイッチング動作を臨界モードで制御し、供給停止制御（供給停止制御期間Ｔ１）においては、点灯回路スイッチング素子５のスイッチング動作を不連続モードで制御している。そのため、点灯回路制御部６は、通常の定電流制御から供給停止制御へ移行する場合に、点灯回路スイッチング素子５の動作モードを変更するだけで済むので、制御が簡単になる。
【００５２】
あるいは、点灯回路制御部６は、通常の定電流制御においても、点灯回路スイッチング素子５のスイッチング動作を不連続モードで制御し、供給停止制御期間Ｔ１においても、点灯回路スイッチング素子５のスイッチング動作を不連続モードで制御してもよい。この場合は、供給停止制御期間Ｔ１では点灯回路スイッチング素子５のオフ期間Ｔ４に相当する時間を、通常の定電流制御時より長くする。
【００５３】
あるいは、点灯回路制御部６は、供給停止制御期間Ｔ１の間継続して点灯回路スイッチング素子５をオフにし、点灯回路３０の動作を完全に停止させてもよい。これにより、図２（ｂ）及び図２（ｃ）に示すように、コンデンサ９の電圧が低下するとともに、ＬＥＤ４１へ流れる直流電流も低下し、コンデンサ９の電圧が供給停止時制御電圧以下になると、ＬＥＤ４１へ流れる直流電流が停止する電流停止時間Ｔ２が生じる。
【００５４】
このように、点灯回路制御部６は、点灯回路３０の動作を停止することにより、点灯回路３０から光源回路４０への直流電流の供給を停止させてもよい。
【００５５】
また、点灯回路制御部６には、予め供給停止制御時電圧がメモリに設定されているとしてもよい。この場合、点灯回路制御部６は、供給停止制御期間Ｔ１に入ると、出力電圧が供給停止制御時電圧以下となるように点灯回路スイッチング素子５を制御する。これにより、コンデンサ９の電圧は予め設定されている供給停止制御時電圧以下に低下し、ＬＥＤ４１へ流れる直流電流が停止する電流停止時間Ｔ２が生じることとなる。
【００５６】
このように、点灯回路制御部６は、点灯回路３０の出力電圧を低下させることにより、点灯回路３０から光源回路４０への直流電流の供給を停止させてもよい。
【００５７】
ＬＥＤ４１へ流れる直流電流が停止する電流停止時間Ｔ２は、大気中でアークを消滅させるために要する時間で十分であり、例えば、１μｓ（マイクロ秒）程度である。
【００５８】
点灯回路制御部６は、例えば、周期Ｔｒ１０ｍｓ（ミリ秒）〜１０００ｍｓに対して１μｓ〜１００μｓの電流停止時間Ｔ２が発生するように点灯回路スイッチング素子５を制御する。周期Ｔｒ１０ｍｓ〜１０００ｍｓに対して１μｓ〜１００μｓという時間は、例えば、その間にＬＥＤ４１の光出力が零になったとしても、人間には視認できない程度の時間である。
【００５９】
ここで、点灯回路制御部６（放電消滅回路の一例）が供給停止動作を繰り返し行うことによるアーク放電抑止効果について説明する。
【００６０】
点灯回路３０のプリント基板の出力部の配線経路に微小なクラックが生じてアーク放電が発生した場合は、点灯回路３０から光源回路４０への電流供給の停止期間（電流停止時間Ｔ２）があるので、この間、点灯回路３０の出力部の配線経路に流れる電流も停止し、アーク放電は消滅する。次に、点灯回路３０が再び電流を光源回路４０に供給しようと動作するが、アーク放電が消滅しているので、新たにアーク放電を引き起こすためには比較的高い電圧が必要となる。この比較的高い電圧により、点灯回路３０が有する保護機能が作動し、点灯回路３０の動作を停止させることができる。
【００６１】
また、点灯回路３０の出力部以外の配線経路に微小なクラックが生じてアーク放電が発生した場合は、次のようにアーク放電を消滅させることができる。例えば、点灯回路制御部６が点灯回路スイッチング素子５を完全にオフにすることにより、点灯回路３０の動作を停止して供給停止制御を行う場合には、点灯回路３０に電流が流れない期間が発生するので、その期間にアーク放電が消滅する。
【００６２】
また、例えば、図３（ｂ）に示すように、供給停止制御時、点灯回路スイッチング素子５が不連続モードで動作している場合には、点灯回路スイッチング素子５のオフ期間Ｔ４の間に点灯回路３０に生じたアーク放電を消滅させることができる。オフ期間Ｔ４の間に点灯回路３０に生じたアーク放電を消滅させるためには、オフ期間Ｔ４を、アーク放電を消滅させるために要する時間より長い時間とする必要がある。
【００６３】
また、再びアーク放電が発生して点灯回路３０から電流が供給されても、点灯回路制御部６の供給停止制御は繰り返し実行され、点灯回路３０が出力電流を停止する動作は繰り返し起きるので、そのたびにアーク放電が消滅する。このようなことを繰り返すことで、点灯回路３０の出力部等の微小なクラックが徐々に拡大するなどして次の電流供給時にはアーク放電が発生しにくくなる。またアーク放電が発生しても電流供給の停止期間を設けているのでアーク放電による部品や材料の過熱等の発生を防止することができる。
【００６４】
次に、ＬＥＤ４１への直流電流の供給の停止が繰り返された場合の、ＬＥＤ４１の光出力の変化について説明する。
【００６５】
ＬＥＤ４１の光出力は、例えば、黄色蛍光体と青色波長との合成による白色発光である。黄色蛍光体は、ＬＥＤ素子内の半導体の挙動による青色波長を吸収して励起し、その後、エネルギーを放出して発光する。このため、黄色蛍光体は青色波長の発生より遅れて発光する。ＬＥＤ素子内の半導体の挙動による青色波長の発生は、電流が停止すると極短時間で停止するが、黄色蛍光体は青色波長の発生より遅れて発光するため、青色波長が停止しても残光がある。
【００６６】
図２（ｃ）及び図２（ｄ）に示すように、期間Ｔ７は、電流が零になって青色波長が停止しても、黄色蛍光体による残光が残っている期間である。期間Ｔ７において、黄色蛍光体による残光は徐々に減衰しているが、残光が零になる前にＬＥＤ４１への電流が再び流れるため光出力が零になることはない。
【００６７】
黄色蛍光体による残光が零になる前に供給停止制御期間Ｔ１を終了すれば（図２（ａ））、コンデンサ９の電圧は再び上昇を開始し（図２（ｂ））、光源回路４０への出力電流も再び流れる（図２（ｃ））。すると、図２（ｄ）に示すように、ＬＥＤ４１の光出力は、ＬＥＤ４１の残光がなくなる前に再び上昇し、元の光出力まで回復する。電流が零になって光出力が減衰し始めてから、元の光出力に回復するまでの期間Ｔ３が、光出力が低下するが零にはならない光出力低下期間Ｔ３となる。
【００６８】
このように、ＬＥＤ素子内の半導体の挙動による青色波長は電流が停止すると極短時間で停止することと、黄色蛍光体の応答時間の遅れによる残光とを利用すると、光出力が完全に零になることなく、電流の停止により出力電流の経路中のアーク放電を消滅させることができる。この場合、光源回路４０への出力電流の電流停止時間Ｔ２は、アーク放電を消滅させるために要する時間よりも長く、かつ、ＬＥＤ４１から発せられる光の残光が消える時間よりも短く設定する必要がある。
【００６９】
点灯回路制御部６（放電消滅回路）は、供給停止制御を開始したのち、ＬＥＤ４１が発する光の残光が消えるよりも前に、供給停止制御を終了する。
【００７０】
図４は、本実施の形態に係る照明器具の回路構成の他の例を示す図である。図４を用いて、図１の照明器具１００とは異なる回路構成を有する照明器具１０１について説明する。図４は図１に対応する図であり、図１と同様の機能を有する構成には同一の符号を付し、その説明を省略する。
【００７１】
図４において、光源点灯装置５０は、点灯回路３１を備えている。図１の点灯回路３０と図４の点灯回路３１との異なる点は、点灯回路スイッチング素子５の配置位置である。
【００７２】
図４に示すように、点灯回路スイッチング素子５は、直流生成部２０の２つの出力端子のうち低電圧側に配置されている。点灯回路３１は、点灯回路スイッチング素子５、点灯回路制御部６、コイル７、ダイオード８、コンデンサ９により、バックコンバータを構成する。
【００７３】
点灯回路３１における点灯回路スイッチング素子５及び点灯回路制御部６は、上述した点灯回路３０における点灯回路スイッチング素子５及び点灯回路制御部６と同様の機能を有するので、その説明を省略する。
【００７４】
このように、回路構成が異なるバックコンバータ（点灯回路３１）であっても、点灯回路制御部６は放電消滅回路として供給停止動作をすることができる。
【００７５】
以上のように、本実施の形態に係る照明器具１００，１０１によれば、点灯回路３０，３１からの出力電流及び出力電圧を検知する必要がないので、簡単な構成によりアーク放電を消滅させることができる。また、点灯回路３０，３１から光源回路４０へ供給する直流電流を繰り返し停止するので、確実にアーク放電の継続を抑止することができる。
【００７６】
また、本実施の形態に係る照明器具１００，１０１によれば、放電消滅回路としての点灯回路制御部６が、供給停止動作を開始したのち、ＬＥＤ４１が発する光の残光が消えるよりも前に、供給停止動作を終了するので、ＬＥＤ４１の光出力が零になることがなく、例えば撮像機器等への光出力の低下による影響を抑止しつつ、アーク放電を消滅させることができる。
【００７７】
あるいは、チラツキなどによる人体や撮像機器などへの大きな影響がない範囲であれば、光出力が零になる期間が生じるように制御してもかまわない。
【００７８】
また、本実施の形態に係る照明器具１００，１０１によれば、放電消滅回路としての点灯回路制御部６が、点灯回路３０，３１の動作を停止する動作、または、点灯回路３０，３１の出力電圧を低下させる動作を行うことにより、ＬＥＤ４１に流れる直流電流が零になり、点灯回路３０，３１からの直流電流の出力が停止する。これにより、ＬＥＤランプ（光源回路４０）のソケットからの外れ時に発生したアーク放電に限らず、点灯回路３０，３１の出力側で発生したアーク放電も消滅させることができるので、ＬＥＤ４１等の固体発光素子を安全に点灯することができる。
【００７９】
また、本実施の形態に係る照明器具１００，１０１によれば、点灯回路３０，３１は、スイッチング電源回路であり、点灯回路制御部６は、直流電流を生成する定電流制御を行うとともに、放電消滅回路として点灯回路３０，３１の動作を停止する動作、または、点灯回路３０，３１の出力電圧を低下させる動作を行うので、点灯回路制御部６及び点灯回路スイッチング素子５が定電流制御と供給停止制御とを兼ねることができる。
【００８０】
本実施の形態に係る照明器具１００，１０１によれば、点灯回路３０，３１はバックコンバータであり、バックコンバータの点灯回路スイッチング素子５を供給停止制御に用いることができるので、簡単な構成で供給停止制御を行うことができる。
【００８１】
実施の形態２．
本実施の形態について、主に実施の形態１との差異を説明する。
【００８２】
本実施の形態では、実施の形態１とは異なる回路構成の点灯回路３２を備える照明器具１０２について説明する。
【００８３】
図５は、本実施の形態に係る照明器具１０２の回路構成を示す図である。図１と同様の機能を有する構成には同一の符号を付し、その説明を省略する。
【００８４】
図５に示すように、照明器具１０２において実施の形態１と異なる点は、点灯回路３２が、トランス７１を備えるフライバックコンバータである点である。外部電源１０、直流生成部２０、光源回路４０については、実施の形態１で説明したものと同様である。
【００８５】
点灯回路３２は、点灯回路スイッチング素子５、点灯回路制御部６、トランス７１、ダイオード８、コンデンサ９を備え、フライバックコンバータを構成する。点灯回路スイッチング素子５、点灯回路制御部６、ダイオード８、コンデンサ９は、実施の形態１で説明したものと同様である。
【００８６】
点灯回路３２（フライバックコンバータ）は、直流生成部２０から直流電圧を入力し、点灯回路制御部６によって点灯回路スイッチング素子５を高周波でスイッチングする。点灯回路スイッチング素子５がオンすると、トランス７１の一次側巻線に電流が流れ、エネルギーが蓄積される。点灯回路スイッチング素子５がオフすると、この蓄積されたエネルギーにより生じた電流によりダイオード８を介してコンデンサ９が充電される。フライバックコンバータである点灯回路３２は、このコンデンサ９からの放電により、光源回路４０に供給する光源点灯用の直流電流を出力して光源回路４０が備えるＬＥＤ４１を点灯させる。
【００８７】
点灯回路３２（フライバックコンバータ）の点灯回路制御部６は、放電消滅回路として、点灯回路３２から光源回路４０への直流電流の供給を停止する供給停止動作を行う。放電消滅回路としての点灯回路制御部６の供給停止動作は、実施の形態１で説明したものと同様である。
【００８８】
以上のように、本実施の形態に係る照明器具１０２では、点灯回路３２がフライバックコンバータであっても、フライバックコンバータの点灯回路スイッチング素子５及び点灯回路制御部６をアーク放電の消滅のための供給停止動作に用いることができるので、簡単な構成でアーク放電を消滅させることができる。
【００８９】
実施の形態３．
本実施の形態について、主に実施の形態１との差異を説明する。
【００９０】
本実施の形態では、実施の形態１とは異なる回路構成の点灯回路３３を備える照明器具１０３について説明する。
【００９１】
図６は、本実施の形態に係る照明器具１０３の回路構成を示す図である。図１と同様の機能を有する構成には同一の符号を付し、その説明を省略する。
【００９２】
図６に示すように、照明器具１０３は、スイッチング素子５１と、スイッチング素子５１のスイッチングを制御する供給停止制御部６１と、点灯回路３３とを備える。
【００９３】
スイッチング素子５１は、例えば、ＭＯＳＦＥＴ、あるいはトランジスタ等の半導体スイッチング素子である。スイッチング素子５１は、直流生成部２０と点灯回路３３との間に直列に電気接続される。スイッチング素子５１は、点灯回路３３への直流電流を遮断する遮断手段（あるいは、休止手段、停止手段ともいう）である。
【００９４】
供給停止制御部６１は、スイッチング素子５１をオフにすることにより、点灯回路３３の動作を停止し、点灯回路３３から光源回路４０への直流電流の供給を停止する供給停止動作を行う。
【００９５】
また、光源回路４０は、接続抵抗４２を備える。接続抵抗４２は、光源回路４０の接続を検知するため抵抗である。ただし、この接続抵抗４２はなくてもよい。
【００９６】
外部電源１０、直流生成部２０の構成及び機能は、実施の形態１で説明したものと同様である。
【００９７】
点灯回路３３は、コイル７、点灯回路スイッチング素子５ａ、点灯回路スイッチング素子５ａのスイッチングを制御する点灯回路制御部６ａ、ダイオード８、コンデンサ９を備え、ブーストコンバータを構成する。
【００９８】
点灯回路３３（ブーストコンバータ）は、直流生成部２０から直流電圧を入力し、点灯回路制御部６ａによって点灯回路スイッチング素子５ａを高周波でスイッチングする。点灯回路スイッチング素子５ａがオンすると、コイル７に電流が流れ、エネルギーが蓄積される。点灯回路スイッチング素子５ａがオフすると、この蓄積されたエネルギーによりダイオード８を介してコンデンサ９が充電される。ブーストコンバータである点灯回路３３は、このコンデンサ９からの放電により、光源回路４０に供給する光源点灯用の直流電流を出力して光源回路４０が備えるＬＥＤ４１を点灯させる。
【００９９】
本実施の形態に係る点灯回路３３（ブーストコンバータ）の点灯回路制御部６ａは、ＬＥＤ４１を点灯させるための定電流制御を行うが、アーク放電を消滅させるための供給停止動作は行わない。
【０１００】
本実施の形態に係る照明器具１０３では、供給停止制御部６１がアーク放電を消滅させるための供給停止動作を行う。供給停止制御部６１は、放電消滅回路の一例である。
【０１０１】
次に、図２を用いて、放電消滅回路としての供給停止制御部６１の供給停止動作について説明する。
【０１０２】
図２（ａ）に示すように、供給停止制御部６１が供給停止制御期間Ｔ１の間、継続してスイッチング素子５１をオフにすることにより、直流生成部２０から点灯回路３３に入力される直流電流を遮断する。点灯回路３３への直流電流が遮断されると、点灯回路３３は、定電流制御による直流電流の生成を停止し、図２（ｂ）に示すように、コンデンサ９の電圧が徐々に低下する。コンデンサ９の電圧が供給停止制御時電圧まで下がると、図２（ｃ）に示すように、ＬＥＤ４１への直流電流の供給が停止する電流停止時間Ｔ２が生じる。
【０１０３】
ＬＥＤ４１への直流電流の供給が停止すると、図２（ｄ）に示すように、ＬＥＤ４１の光出力が徐々に低下する。電流停止時間Ｔ２が経過し、ＬＥＤ４１への直流電流の供給が開始されると、ＬＥＤ４１の光出力は徐々に上昇し、元の光出力まで戻る。ＬＥＤ４１の光出力の変化については、実施の形態１において説明したものと同様である。
【０１０４】
このように、供給停止制御部６１は、点灯回路３３に入力される直流電流を遮断する動作を供給停止制御期間Ｔ１の間行うので、点灯回路３３及び光源回路４０にアーク放電が発生していた場合には、そのアーク放電は消滅する。また、実施の形態１で説明したように、放電消滅回路としての供給停止制御部６１は、点灯回路３３に入力される直流電流を遮断する供給停止動作を、定期的、あるいは、ランダムに繰り返し行うので、点灯回路３３及び光源回路４０に発生したアーク放電の継続を確実に抑止することができる。
【０１０５】
また、本実施の形態に係る照明器具１０３によれば、点灯回路３３の構成はどのような構成であってもよい。例えば、本実施の形態のように、点灯回路３３としてブーストコンバータを用いてもよい。直流生成部２０と点灯回路３３との間に直列に配置されたスイッチング素子５１とスイッチング素子５１を制御する供給停止制御部６１を配置することにより、簡単な構成、及び簡単な制御によりアーク放電を消滅させることができる。
【０１０６】
実施の形態４．
本実施の形態について、主に実施の形態１との差異を説明する。
【０１０７】
本実施の形態では、実施の形態１とは異なる回路構成の照明器具１０４について説明する。
【０１０８】
図７は、本実施の形態に係る照明器具１０４の回路構成を示す図である。図７では、図１と同様の機能を有する構成には同一の符号を付し、その説明を省略する。
【０１０９】
図７に示すように、照明器具１０４は、スイッチング素子５１ａと、スイッチング素子５１ａのスイッチングを制御する供給停止制御部６１ａと、点灯回路３０ａとを備える。
【０１１０】
スイッチング素子５１ａは、例えば、ＭＯＳＦＥＴ、あるいはトランジスタ等の半導体スイッチング素子である。スイッチング素子５１ａは、点灯回路３０ａと光源回路４０の間に直列に電気接続される。スイッチング素子５１ａは、光源回路４０への直流電流を遮断する遮断手段（あるいは、休止手段、停止手段ともいう）である。
【０１１１】
供給停止制御部６１ａは、スイッチング素子５１ａをオフにすることにより、光源回路４０への直流電流の供給を遮断する。供給停止制御部６１ａは、放電消滅回路の一例である。
【０１１２】
また、光源回路４０は、接続抵抗４２を備える。接続抵抗４２は、光源回路４０の接続を検知するため抵抗である。ただし、この接続抵抗４２はなくてもよい。
【０１１３】
外部電源１０、直流生成部２０の構成及び機能は、実施の形態１で説明したものと同様である。
【０１１４】
点灯回路３０ａは、コイル７、点灯回路スイッチング素子５ａ、点灯回路スイッチング素子５ａのスイッチングを制御する点灯回路制御部６ａ、ダイオード８、コンデンサ９を備え、バックコンバータを構成する。バックコンバータについては、実施の形態１で説明したものと同様である。
【０１１５】
本実施の形態に係る点灯回路３０ａの点灯回路制御部６ａは、ＬＥＤ４１を点灯させるための定電流制御を行うが、アーク放電を消滅させるための供給停止動作は行わない。
【０１１６】
本実施の形態に係る照明器具１０４では、供給停止制御部６１ａがアーク放電を消滅させるための供給停止動作を行う。供給停止制御部６１ａは、スイッチング素子５１ａをオフにすることにより光源回路４０への直流電流の供給を遮断し、アーク放電を消滅させるための供給停止動作を行う。供給停止制御部６１ａは、放電消滅回路の一例である。
【０１１７】
図８は、本実施の形態に係る供給停止制御部６１ａの供給停止動作の説明のための図である。図８（ａ）は、供給停止制御部６１ａが、光源回路４０への直流電流の供給を停止するための供給停止動作を行っている供給停止制御期間Ｔ１を示している。図８（ｂ）は、供給停止制御期間Ｔ１におけるＬＥＤ４１に供給される直流電流の変化を示している。図８（ｃ）は、供給停止制御期間Ｔ１におけるＬＥＤ４１の光出力の変化を示している。
【０１１８】
図８（ａ）に示すように、供給停止制御部６１ａは、供給停止制御期間Ｔ１の間、継続して点灯回路３０と光源回路４０との間で直流電流を遮断する。供給停止制御部６１ａは、スイッチング素子５１ａをオフにすることにより光源回路４０への直流電流の供給を遮断する。
【０１１９】
図８（ｂ）に示すように、光源回路４０への直流電流の供給を遮断されると、ＬＥＤ４１への直流電流の供給が直ちに停止し、ＬＥＤ４１への直流電流の供給が停止する電流停止時間Ｔ２が生じる。
【０１２０】
ＬＥＤ４１への直流電流の供給が停止すると、図８（ｃ）に示すように、ＬＥＤ４１の光出力が徐々に低下し、電流停止時間Ｔ２が経過し、ＬＥＤ４１への直流電流の供給が開始されると、ＬＥＤ４１の光出力は徐々に上昇し、元の光出力まで戻る。ＬＥＤ４１の光出力の変化については、実施の形態１において説明したものと同様である。
【０１２１】
供給停止制御部６１ａは、点灯回路３０と光源回路４０との間で直流電流を遮断するので、光源回路４０への直流電流の供給が停止され、光源回路４０に発生したアーク放電が消滅する。
【０１２２】
次に、照明器具１０４において、装置を保護するための光源点灯装置５０の制御動作について説明する。
【０１２３】
照明器具１０４において、供給停止制御部６１ａの供給停止動作により供給停止制御期間Ｔ１に入ると、スイッチング素子５１ａがオフ状態になる。点灯回路３０ａは定電流特性を有するので、スイッチング素子５１ａがオフ状態なった瞬間に、点灯回路３０ａは出力電流を維持しようとして、その出力電圧すなわちコンデンサ９の電圧を通常点灯時（通常の定電流制御時）より上昇させてしまう。その後、供給停止制御期間Ｔ１が経過し、再びスイッチング素子５１ａがオン状態になると、コンデンサ９に充電されていた高い電圧によりＬＥＤ４１には通常時より大きな電流が流れてしまう。
【０１２４】
上記のような現象を防ぐため、点灯回路３０ａは、供給停止制御部６１ａが供給停止動作を行っている間（供給停止制御期間Ｔ１の間）、動作を停止する。
【０１２５】
具体的には、供給停止制御期間Ｔ１に入ると、まず、点灯回路３０ａは、点灯回路スイッチング素子５の動作を停止し、その後に、スイッチング素子５１ａをオフ状態にする。このように、スイッチング素子５１ａをオフ状態にするのを遅延させる動作により、スイッチング素子５１ａが再びオン状態になったときに、ＬＥＤ４１に大きな電流が流れてしまうことを防ぐことができる。
【０１２６】
あるいは、点灯回路３０ａは、点灯回路スイッチング素子５の動作を停止するのではなく、出力電圧を低下させてもよい。この場合でも、点灯回路３０ａが出力電圧を低下させてから、スイッチング素子５１ａをオフ状態にすることにより、スイッチング素子５１ａが再びオン状態になったときに、ＬＥＤ４１に大きな電流が流れてしまうことを防ぐことができる。
【０１２７】
以上のように、本実施の形態に係る照明器具１０４によれば、供給停止制御部６１ａが光源回路４０に入力される直流電流を遮断するので、光源回路４０にアーク放電が発生していた場合には、そのアーク放電は消滅する。また、実施の形態１で説明したように、放電消滅回路としての供給停止制御部６１ａは、点灯回路３３に入力される直流電流を遮断することによる供給停止動作を、定期的、あるいは、ランダムに繰り返し行うので、光源回路４０に発生したアーク放電の継続を確実に抑止することができる。
【０１２８】
また、本実施の形態に係る照明器具１０４によれば、放電消滅回路である供給停止制御部６１ａが供給停止動作を行っている間、点灯回路３０ａは、動作を停止するか、または、出力電圧を低下させるので、スイッチング素子５１ａ（休止手段）が再びオン状態になる時に、ＬＥＤ４１へ大きな電流が流れることを防ぐことができる。
【０１２９】
実施の形態５．
本実施の形態について、主に実施の形態４との差異を説明する。
【０１３０】
本実施の形態では、実施の形態４とは異なる回路構成の照明器具１０５について説明する。
【０１３１】
図９は、本実施の形態に係る照明器具１０５の回路構成を示す図である。図９では、図７と同様の機能を有する構成には同一の符号を付し、その説明を省略する。
【０１３２】
図９に示すように、照明器具１０５は、スイッチング素子５１ｂと、スイッチング素子５１ｂのスイッチングを制御する供給停止制御部６１ｂと、コイル７２とを備える。
【０１３３】
スイッチング素子５１ｂは、例えば、ＭＯＳＦＥＴ、あるいはトランジスタ等の半導体スイッチング素子である。スイッチング素子５１ｂは、点灯回路３０ａに対して光源回路４０と並列に電気接続される。言い換えると、スイッチング素子５１ｂは、ＬＥＤ４１と並列的に接続されるとともに、コンデンサ９と並列的に接続される。
【０１３４】
供給停止制御部６１ｂは、スイッチング素子５１ｂをオンにすることにより、光源回路４０への直流電流の供給を停止する。また、コイル７２はスイッチング素子５１ｂと直列に電気接続されている。供給停止制御部６１ｂは、放電消滅回路の一例である。
【０１３５】
スイッチング素子５１ｂは、光源回路４０への直流電流の供給を停止する停止手段（あるいは、休止手段ともいう）である。
【０１３６】
供給停止制御部６１ｂによる供給停止制御については、実施の形態４で説明したものと同様である。実施の形態４と異なる点は、スイッチング素子５１ｂが点灯回路３０ａに対して光源回路４０と並列に電気接続されており、供給停止制御部６１ｂはスイッチング素子５１ｂをオンにすることにより、光源回路４０への直流電流の供給を停止する点である。
【０１３７】
本実施の形態では、光源回路４０への直流電流の供給を停止する停止手段（休止手段）として、ＭＯＳＦＥＴなどのスイッチング素子５１ｂを用いて構成したが、これに限られない。光源回路４０への直流電流の供給を停止することができれば他のデバイスや構成でもよい。
【０１３８】
実施の形態６．
本実施の形態について、主に実施の形態１との差異を説明する。
【０１３９】
本実施の形態では、実施の形態１とは異なる回路構成の照明器具１０６について説明する。
【０１４０】
図１０は、本実施の形態に係る照明器具１０６の回路構成を示す図である。図１０では、図１と同様の機能を有する構成には同一の符号を付し、その説明を省略する。
【０１４１】
図１０に示すように、本実施の形態に係る照明器具１０６は、実施の形態１で説明した照明器具１００に、保護回路８０を追加した構成である。以下に、保護回路８０の機能について説明する。
【０１４２】
保護回路８０は、光源回路４０を流れる電流の電流値及び点灯回路３０の出力電圧の電圧値の少なくともいずれかが、所定の正常範囲から逸脱した場合に、異常が発生したと判定する。点灯回路３０は、異常が発生したと保護回路８０が判定した場合に、動作を停止し、照明器具１０６を保護する。保護回路８０は、異常判定部の一例である。
【０１４３】
保護回路８０は、光源回路４０を流れる電流の電流値や点灯回路３０の出力電圧の電圧値等を検知して、異常が発生したと判定する。保護回路８０は、例えば、次のような現象を検知した場合に異常が発生したと判定する。
（１）光源回路４０の接続を検知する接続抵抗（図示なし）等を利用して、ＬＥＤモジュールが外れたことを検知する。
（２）ＬＥＤ４１の電圧が所定値より高いことを検知する。
（３）ＬＥＤ４１の電圧が所定値より低いことを検知する。
（４）点灯回路３０（コンバータ）の出力電圧が所定値より高いことを検知する。
（５）点灯回路３０（コンバータ）の出力電圧が所定値より低いことを検知する。
（６）点灯回路３０（コンバータ）の出力電流が所定値より高いことを検知する。
（７）点灯回路３０（コンバータ）の出力電流が所定値より低いことを検知する。
【０１４４】
保護回路８０を備えた照明器具１０６において、点灯回路制御部６が供給停止動作を行うと、光源回路４０を流れる直流電流が停止したり、点灯回路３０の出力電圧が低下する。すると、点灯回路制御部６の供給停止動作によるものにもかかわらず、保護回路８０は異常が発生したと判定し、点灯回路３０の動作を停止する。このように保護回路８０により点灯回路３０が停止した場合は、点灯回路３０を復帰するため、人為的あるいは自動的な復帰動作が必要となってしまう。
【０１４５】
上述した不要な異常検知による点灯回路３０の停止を防ぐために、保護回路８０は、放電消滅回路である点灯回路制御部６がアーク放電を消滅するための供給停止動作を行っている間は、光源回路４０を流れる電流の電流値及び点灯回路３０の出力電圧の電圧値の少なくともいずれかが、所定の正常範囲から逸脱した場合であっても、異常が発生していないと判定する。
【０１４６】
図１１は、本実施の形態に係る保護回路８０の動作の説明のための図である。図１１（ａ）は、点灯回路制御部６が供給停止動作を行っている供給停止制御期間Ｔ１を示した図である。図１１（ｂ）は、供給停止制御期間Ｔ１の間の保護回路８０が動作を停止している保護回路停止期間Ｔ５と、供給停止制御期間Ｔ１の後の保護回路停止期間Ｔ６とを示している。保護回路停止期間Ｔ５、あるいは、保護回路停止期間Ｔ６をマスク期間とも呼ぶ。
【０１４７】
図１１（ａ）及び図１１（ｂ）に示すように、保護回路８０は、点灯回路制御部６による供給停止制御期間Ｔ１と同期間である保護回路停止期間Ｔ５の間は、動作を停止し、光源回路４０を流れる電流の電流値、点灯回路３０の出力電圧の電圧値等の異常を検知しないように制御する。
【０１４８】
以上のように、保護回路８０が供給停止制御期間Ｔ１（保護回路停止期間Ｔ５）の間、動作を停止することにより、点灯回路制御部６の供給停止動作時における不要な異常検知を防ぐことができる。
【０１４９】
あるいは、保護回路８０は、図１１（ｂ）に示すように、供給停止制御期間Ｔ１が経過しても、さらに、その後の保護回路停止期間Ｔ６が経過するまで動作の停止を継続するとしてもよい。言い換えると、保護回路８０は、供給停止制御期間Ｔ１（保護回路停止期間Ｔ５）と保護回路停止期間Ｔ６とを合わせた期間の間、動作を停止するとしてもよい。
【０１５０】
これは、供給停止制御期間Ｔ１が経過した直後は、光源回路４０を流れる電流の電流値及び点灯回路３０の出力電圧の電圧値等がまだ回復していないため、保護回路８０が供給停止制御期間Ｔ１の経過後、直ちに動作を開始してしまうと、保護回路８０の不要な検知により点灯回路３０が停止する可能性があるからである。
【０１５１】
このような事態を防ぐため、保護回路８０は、点灯回路制御部６が供給停止動作を終了したのち（すなわち、供給停止制御期間Ｔ１の経過後）も継続して保護回路停止期間Ｔ６が経過するまでの間は、光源回路４０を流れる電流の電流値及び点灯回路３０の出力電圧の電圧値の少なくともいずれかが、所定の正常範囲から逸脱した場合であっても、異常が発生していないと判定する。
【０１５２】
このように、マスク期間を供給停止制御期間Ｔ１よりも長く設定し、供給停止制御期間Ｔ１の終了後にも保護回路停止期間Ｔ６だけ保護回路８０の動作を停止させておくことにより、保護回路８０が点灯回路制御部６の供給停止動作に起因する異常を不要に検知して、点灯回路３０の動作を停止してしまうという不都合を除去できる。
【０１５３】
以上の実施の形態１〜６では、光源としてＬＥＤ４１を用いて説明したが、例えば、有機ＥＬなどのＬＥＤ以外の固体光源でも、その動作電圧が高い場合には実施の形態１〜６を適用すると効果がある。
【０１５４】
また、以上の実施の形態１〜６では、点灯回路としてスイッチング素子を用いたスイッチング電源回路を用いて説明したが、これに限られず、例えば、ツェナ−ダイオードを使った定電圧直流電源等の直流電源でもよい。
【０１５５】
また、以上の実施の形態３〜６では、電流を遮断するスイッチング素子５１，５１ａ，５１ｂとして、ＭＯＳＦＥＴ、あるいは、トランジスタ等の半導体スイッチング素子を用いて説明したが、供給停止制御期間Ｔ１においてオフ状態を実現できる手段であれば、他のデバイスあるいは構成でもよい。
【０１５６】
また、以上の実施の形態３〜６では、光源回路４０あるいは点灯回路３０，３３への直流電流の遮断する遮断手段（あるいは、休止手段、停止手段ともいう）としてスイッチング素子５１，５１ａ，５１ｂを用いて説明したが、供給停止制御期間Ｔ１において光源回路４０あるいは点灯回路３０，３３への直流電流の遮断（休止、停止）を実現できる手段であれば、例えば、リレースイッチ等の他のデバイスあるいは構成でもよい。
【０１５７】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１５８】
５，５ａ  点灯回路スイッチング素子、６，６ａ  点灯回路制御部、７  コイル、８  ダイオード、９  コンデンサ、１０  外部電源、２０  直流生成部、３０，３１，３２，３３，３４  点灯回路、４０  光源回路、４１  ＬＥＤ、４２  接続抵抗、５０  光源点灯装置、５１，５１ａ，５１ｂ  スイッチング素子、６０  光源接続部、６１，６１ａ，６１ｂ  供給停止制御部、７１  トランス、７２  コイル、８０  保護回路、１００，１０１，１０２，１０３，１０４，１０５，１０６  照明器具、Ｔ１  供給停止制御期間、Ｔ２  電流停止時間、Ｔ３  光出力低下期間、Ｔ４  オフ期間、Ｔ５，Ｔ６  保護回路停止期間。
【図１】
2014035943.tif 000003
【図２】
2014035943.tif 000004
【図３】
2014035943.tif 000005
【図４】
2014035943.tif 000006
【図５】
2014035943.tif 000007
【図６】
2014035943.tif 000008
【図７】
2014035943.tif 000009
【図８】
2014035943.tif 000010
【図９】
2014035943.tif 000011
【図１０】
2014035943.tif 000012
【図１１】
2014035943.tif 000013